(57)【要約】【課題】本発明は、通気性を確保すると共に外観の体裁が良く、かつ、デザインの自由度が高いルーバー付き帽子であって、生産効率が向上した帽子を提供することを目的とするものである。【解決手段】本発明は前方につばの付いた帽子であって、前記つばおよび頭周りが合成樹脂により一体に成型され、前記つばの表面に沿って帽体内に空気を導入するためのルーバーが前記つばに立設されるので、通気性を向上させたルーバー付き帽子の製作が容易になる。また、前記つば側における前記頭周りの内側にサイズ調整ベルトを設けたので、外観にサイズ調整機構や隙間が一切現れない。【選択図】図１
2014159661.tif 000002
【特許請求の範囲】
【請求項１】
前方につばの付いた帽子であって、前記つばおよび頭周りが合成樹脂により一体に成型され、前記つばの表面に沿って帽体内に空気を導入するためのルーバーが前記つばに立設されると共に前記つば側における前記頭周りの内側にサイズ調整ベルトを設けた帽子。
【請求項２】
前記頭周りの内側にサイズ調整ベルトを取り付けるための取付部を設けた請求項１記載の帽子。
【請求項３】
前記サイズ調整ベルトが前記頭周りと一体に成型された請求項１記載の帽子。
【請求項４】
前記サイズ調整ベルトにおけるサイズ調整機構がアメリカンホック式アジャスタである請求項１〜３のいずれかに記載の帽子。
【請求項５】
前記サイズ調整ベルトにおけるサイズ調整機構がスライド式アジャスタである請求項１〜３のいずれかに記載の帽子。  
【発明の詳細な説明】
【技術分野】
【０００１】
この発明は、通気性を確保すると共に外観の体裁が良く、かつ、デザインの自由度が高いルーバー付き帽子であって、生産効率が向上した帽子に関するものである。
【背景技術】
【０００２】
本発明者は、特開２０１３−０１９０８８号公報（特許文献１）において、通気性および遮光性を有すると共に、外観上のデザインが極めて優れた帽子として、帽体の前部および後部に開口が設けられ、該開口にルーバー枠と羽板とからなるルーバー機構が固定されたことを特徴とする帽子を提案している。本発明の帽子は通気性および遮光性を有するため、被着者は十分な清涼感を感じることができるが、帽体に開口を設け該開口にルーバー機構を固定しなければならないため、帽子製作が煩雑で量産に適していない。
【０００３】
特許文献２には、通気性及び汗取り効果にすぐれた帽子であって、クラウンの前面に通気部を形成してなる帽子において、クラウンの下端内周の前半部に、中央部分を袋状部となし、必要に応じて吸汗その他の温調具を収納できるようにした長さ調節ベルトを伸縮調節を自在とするように取り付けてなる帽子が開示されている。
【０００４】
前記帽子は、長さ調節用のベルトを前額部に緊密に締めつけるとベルトの前面とクラウンの内周面との間に空隙が表れ、クラウンの通気部から流入した空気はこの空隙部から下方に流動するので前額部は移動する空気によって冷却されて頭部のムレや発汗を防止することも期待できる。しかしながら、ベルトの袋状部を除く一端をクラウンの内周側端に縫着するとともに他端をクラウンの他方の周側から外方へ突出させてアジャスタに接続するのでアジャスタが帽子の外観に現れる。また、ベルトの帽子への取付けが煩雑であった。
【先行技術文献】
【特許文献】
【０００５】
【特許文献１】特開２０１３−０１９０８８号公報
【特許文献２】実願昭５５−１００３１９号（実開昭５７−２７４２７号）のマイクロフィルム
【発明の概要】
【発明が解決しようとする課題】
【０００６】
本発明は、通気性を確保すると共に外観の体裁が良く、かつ、デザインの自由度が高いルーバー付き帽子であって、生産効率が向上した帽子を提供することを目的とするものである。
【課題を解決するための手段】
【０００７】
本発明の帽子は、前方につばの付いた帽子であって、前記つばおよび頭周りが合成樹脂により一体に成型され、前記つばの表面に沿って帽体内に空気を導入するためのルーバーが前記つばに立設されると共に前記つば側における前記頭周りの内側にサイズ調整ベルトを設けたことを特徴とする。
【０００８】
前記頭周りの内側にサイズ調整ベルトを取り付けるための取付部を設けたことが好ましい。
前記サイズ調整ベルトが前記頭周りと一体に成型されたことが好ましい。
【０００９】
前記サイズ調整ベルトにおけるサイズ調整機構がアメリカンホック式アジャスタであることが好ましい。
前記サイズ調整ベルトにおけるサイズ調整機構がスライド式アジャスタであることが好ましい。
【発明の効果】
【００１０】
本発明は、つばと頭周りを一体に成型し前記つばの表面にルーバーを立設することにより、通気性を向上させたルーバー付き帽子の製作が容易になる。また、外観にスライドアジャスタ等のサイズ調整機構が一切現れないで、かつ、帽子の前部の隙間がつばに隠れるのでデザインの自由度が高い。
【図面の簡単な説明】
【００１１】
【図１】本発明の帽子の側面図である。
【図２】図１に示す帽子の底面図である。
【図３】図１に示す帽子について、サイズ調整ベルト１２を透視して描いた斜視図である。
【図４】本発明の帽子の他の実施形態について、サイズ調整ベルト１２を透視して描いた斜視図である。
【発明を実施するための形態】
【００１２】
以下、本発明に係る帽子の実施形態を図面に基づいて説明する。
図１（１）は、本発明に係る帽子の側面図であり、帽子を構成する帽体２、つば１１、および頭周り１２が示されている。
【００１３】
前記つば１１と頭周り１２は一体成型され、前記つば１１にルーバー１３が立設されるので、当該成形品に帽体２を固定するだけで、容易にルーバー付き帽子を製作することができる。帽体２の固定方法に格別の制限はなく、縫着のほか溶着や面ファスナーによる接着等、固定が容易かつ強度を保持できる方法であれば良い。
【００１４】
つば１１の形状および大きさに格別の制限はなく、遮光性を確保することができるものであれば良く、デザイン性を加味して適宜決定される。本実施形態において、つば１１の形状を湾曲状としたが平面状とすることもできる。
【００１５】
つば１１に立設されるルーバー１３の形状および大きさに格別の制限はなく、つば１１の表面に沿って空気を帽体２の内側に導入させることのできるものであれば良い。本実施形態において、ルーバー１３を略半月状に形成したが、台形、円形、矩形、その他種々の形状とすることができる。
【００１６】
次に、図１に示す帽子の作用を説明する。
つば１１にルーバー１３が立設されるので、つば１１の表面に沿ってルーバー１３から外気が導入されると共に、ルーバー１３が帽体内部に差し込む日差しを遮る。本発明の帽子によればルーバー１３から流入する大量の外気は、帽子の被着者の頭部に直接接触することに加えて、ルーバー１３により日差しが遮られるので、冷却効果が体感上極めて優れている。
また、頭周り１２は合成樹脂により一体に成型されるので、本発明の帽子を被着したときのホールド感が向上する。
【００１７】
前記頭周り１２を合成樹脂により成型したので、サイズ調整ベルト１４を帽体２の内側に設けた。図２は図１に示す帽子の底面図である。サイズ調整ベルト１４は頭周り１２と一体に成型しても良いし、頭周り１２の内側に取付部を設けてサイズ調整ベルト１４を頭周り１２の内側に取付け可能としても良い。サイズ調整ベルト１４を頭周り１２と一体に成型すればサイズ調整ベルト１４の取付工程を省略することができるので、帽子製作の効率が上がる。一方、サイズ調整ベルト１４を頭周り１２から取り外し可能とすれば、ベルトが破損したり汚れたりした場合やサイズ調整機構を変更したい場合にサイズ調整ベルト１４を容易に交換することができる。サイズ調整ベルト１２は帽体２の内側に設けたので、サイズ調整機構は帽子の外観に一切現れない。    
【００１８】
本発明の帽子を被着した状態では、額にサイズ調整ベルト１４が接触するが帽体２は接触しないで、額と帽体２の間に隙間５が形成される。したがって、外気が前記ルーバー１３から帽体２の内部に入ると額に外気が直接接触するほか、帽体２の内部に貯留する蒸れた空気がこの外気流に同伴されて前記隙間５から帽体２外部に排気される。また、サイズ調整ベルト１４が額に接触することから、帽子の被り心地、特にフィット感が良くなる。サイズ調整ベルト１４はつば１１側に設けられるため、隙間５がつば１１に隠れて外観の体裁が良い。
【００１９】
つば１１、頭周り１２およびルーバー１３の材質に制限はないが、可撓性を有する合成樹脂により成型することができ、特に、ポリアセタール、ポリオキシメチレン、ポリアミド、ポリカーボネート、ナイロンなどの弾性を有する合成樹脂により成型することが好ましい。
【００２０】
次に、本実施形態におけるサイズ調整ベルト１４のサイズ調整機構について図３を参照して説明する。図３は図１に示す帽子について、サイズ調整ベルト１２を透視して描いた斜視図である。サイズ調整機構はアメリカンホック式アジャスタであって、サイズ調整ベルト１４の一端部２０Ａには雄型ホック２１Ａ、他端部２０Ｂには雌型ホック２１Ｂが形成されている。各ホックの数と間隔に格別の制限はないが、通常７つ前後のホックが３ｍｍ〜１０ｍｍ間隔で設けられる。
サイズを調整するには、雄型ホック２１Ａを雌型ホック２１Ｂに嵌める位置をずらすことで、帽子の内周を被着者の好みのサイズにフィットさせることができる。
【００２１】
続いて、本発明の別の実施形態について図４を参照して説明する。本実施形態では、サイズ調整機構がスライド式アジャスタで構成されている。
図４（１）は、本実施形態の帽子についてサイズ調整ベルト１２を透視して描いた斜視図である。
【００２２】
サイズ調整ベルト１４の一端部２０Ａには、他端部２０Ｂを挿入可能な一部をループ状としたスライドガイド２２が設けられており、スライドガイド２２の止輪２３の内側には、図４（２）に示すように、爪状の係合凸部２４Ａが形成されている。
【００２３】
一方、他端部２０Ｂの外表面には、断面が鋸歯状の係合凹部２４Ｂが形成されている。而して、この実施形態の係合形式は両端部２０Ａ、２０Ｂをスライドさせて両係合部２４Ａ、２４Ｂを係合させ、バンドを着用者の最適な長さに調整して接続するものであり、爪状の係合凸部２４Ａが断面鋸歯状の係合凹部２４Ｂに係止した状態では、他端部２０Ｂは一端部２０Ａに対して進出自在であるが、後退不能となっている。
【００２４】
サイズ調整ベルトは塩化ビニル、ポリエチレン、その他の可撓性の合成樹脂や、硬質ゴムにて製造される。その際、バンドは被着される頭部に沿った曲面に予め成形しておくことが好ましい。
【００２５】
本実施形態のサイズ調整ベルト１４は以上のように構成されているので、サイズ調整ベルト１４の両端部を引き寄せれば、両係合部２４Ａ、２４Ｂが擦り合いながら、スライドガイド２２内を他端部２０Ｂが進出してゆき、サイズ調整ベルト１４の周囲長を短く調節することができる。この状態では、他端部２０Ｂを一端部２０Ａから分離する方向に引いても、両係合部２４Ａ、２４Ｂが噛み合っているので動くことはない。
【００２６】
他方、両係合部２４Ａ、２４Ｂの係合を解除して、他端部２０Ｂを一端部２０Ａから引き抜くには、スライドガイド２２の側部（特に、止輪２３の位置）を指にて外側から圧縮して、止輪２３を外側（図４（２）において上側）に撓ませればよい。このとき、図４（３）に示すように、両係合部２４Ａ、２４Ｂの噛み合いが解除される結果、他端部２０Ｂは一端部２０Ａに対して後退し、バンドは自然に緩まる。
【００２７】
なお、本発明に係るサイズ調整ベルト１４には、ベルトの両端部における係合形式に格別の制約がない。従って、上記実施形態以外にも、面ファスナー等を適用することもできる。  
【符号の説明】
【００２８】
２      帽体
５      隙間
１１    つば
１２    頭周り
１３    ルーバー
１４    サイズ調整ベルト
２０Ａ  サイズ調整ベルトの一端部
２０Ｂ  サイズ調整ベルトの他端部
【図１】
2014159661.tif 000003
【図２】
2014159661.tif 000004
【図３】
2014159661.tif 000005
【図４】
2014159661.tif 000006